【事件の表示】
　特願２００８−１９５１０７「遊技機」拒絶査定不服審判事件〔平成２０年１０月２３日出願公開、特開２００８−２５３８３６〕について、次のとおり審決する。
【結　論】
　本件審判の請求は、成り立たない。
【理　由】
第１．手続の経緯概要
　本件は、特願２００２−３３７７６号の一部を特許法４４条１項の規定により新たな出願としたものであり、その経緯概要は以下のとおりである。  
　
　平成１４年　２月１２日　原出願（特願２００２−３３７７６号）
　平成２０年　７月２９日　本件出願（特願２００８−１９５１０７号）
　平成２３年　４月２０日　拒絶理由通知
　平成２３年　６月　８日　手続補正
　平成２３年　６月３０日　拒絶査定
　平成２３年　８月１２日　本件審判請求、手続補正
　平成２３年１１月１５日　審尋
　平成２４年　１月１１日　回答書
　　
第２．平成２３年８月１２日付けの手続補正についての補正却下の決定
［補正却下の決定の結論］
　平成２３年８月１２日付けの手続補正（以下、「本件補正」という。）を却下する。
　
［理由］
１．補正後の本願発明
　本件補正は平成２３年６月８日付け手続補正により補正された明細書及び図面を補正するものであって、その補正の前後の特許請求の範囲は以下のとおりである。
　
（補正前）
「【請求項１】
　後面側に設けられた基枠と、
　前記基枠と第１施錠機構によって施錠される第１施錠枠と、
　前記基枠及び第１施錠枠の少なくとも１つと第２施錠機構によって施錠される第２施錠枠と、
　前記基枠、第１施錠枠及び第２施錠枠の少なくとも１つと第３施錠機構によって施錠される第３施錠枠と、
　一対の板部がそれぞれの一端において屈曲された状態で接続され、かつ、一方の前記板部の他端に屈曲形成されて前記基枠と前記第１施錠枠の回動外端との隙間を塞ぐ阻止板が一方の前記板部に沿って延伸されると共に他方の前記板部の他端に屈曲形成された係止突起が他方の前記板部に沿って延伸され、前記一対の板部によって前記第１施錠機構、第２施錠機構及び第３施錠機構を一体化するユニット基板と、
　を備えた遊技機。」
　
（補正後）
「【請求項１】
　後面側に設けられた基枠と、
　前記基枠と第１施錠機構によって施錠される第１施錠枠と、
　前記基枠及び第１施錠枠の少なくとも１つと第２施錠機構によって施錠される第２施錠枠と、
　前記基枠、第１施錠枠及び第２施錠枠の少なくとも１つと第３施錠機構によって施錠される第３施錠枠と、
　
鍵部材を挿入可能にされた鍵挿入部材が固定されると共に、
前記鍵挿入部材固定位置において
　を備えた遊技機。」
　
　上記補正は、補正前請求項１の「ユニット基板」に「鍵部材を挿入可能にされた鍵挿入部材が固定される」との限定を付し、同「他方の前記板部の他端に屈曲形成された係止突起が他方の前記板部に沿って延伸され」を「前記鍵挿入部材固定位置において他方の前記板部の他端に屈曲形成された係止突起が他方の前記板部に沿って延伸され」と限定するものであり、平成１８年法律第５５号改正附則３条１項によりなお従前の例によるとされる同法による改正前の特許法１７条の２第４項２号の特許請求の範囲の減縮を目的とするものに該当する。
　そこで、本件補正後の請求項１に係る発明（以下、「本願補正発明」という。）が特許出願の際独立して特許を受けることができるものであるか（上記改正前の特許法１７条の２第５項において準用する同法１２６条５項の規定に適合するか）について以下に検討する。
　
２．引用文献の記載事項  
２−１．引用文献１
　原査定の拒絶の理由に引用された特開平１０−１３７４１４号公報（公開日：平成１０年５月２６日）（以下、「引用文献１」という。）には、以下の事項が図面とともに記載されている。
　
【特許請求の範囲】
【請求項１】  パチンコ機の機台枠の前面側に片開き状に取付けられた表枠と、この表枠の前面側の上下に片開き状に取付けられた金枠と前枠とを備え、前記表枠の自由端側の内側面に沿って縦設されて表枠、金枠および前枠を施錠する施錠ユニットを備えたパチンコ機の錠装置であって、
前記施錠ユニットは表枠に取付けられる固定基枠と、この固定基枠に沿って上下に案内されるハネ出しプレートと、同じく案内されて金枠を施錠する第１可動錠板と、同じく案内されて表枠を機台枠に施錠する第２可動錠板を備え、前記ハネ出しプレートと第１可動錠板とは不正開錠防止機構により連繋する構成としたことを特徴とするパチンコ機の錠装置。
【０００６】
【実施の形態】次に、本発明の実施の形態を図面にしたがって説明すると、図１はパチンコ機１の前方から見た斜視図、図２は同じく後方から見た斜視図を示すもので、このパチンコ機１は略方形枠状に枠組み形成された機台枠２と、この前面側にヒンジ（図示せず）を介して片開き状に取付けられる略方形状に枠組み形成された表枠３と、この表枠３の前面上下側にヒンジを介して片開き状に取付けられるガラスを取付けた金枠５と、この金枠５の下部側にヒンジを介して片開き状に前枠６が取付けられている。また、図２に示すように機台枠２の一方の縦枠２ａの内側面の上下の所定位置には、表枠３の自由端側の縦枠３ａの裏面側に取付けられた後述する施錠ユニット１５の第２可動錠板６５の第２ロック爪６７ａ，６７ｂと係合する受け爪７ａを内方に突出するロック受け金具７が止着されている。
【０００７】また、この表枠３の縦枠３ａの上下の所定の位置にはその裏面側に取付けられた施錠ユニット１５の第１可動錠板５０の第１ロック爪５６ａ，５６ｂを挿通する長孔３ｂが貫設され、また、上部側の長孔３ｂの下部側の所定の位置には施錠ユニット１５のスライド保持片１８の外側面の所定の位置に取付けられたはね出し部８０のはね出し棒８３を挿通する長孔３ｃが貫設されている。また、下側の長孔３ｂの上部側の所定の位置には、施錠ユニット１５に取付けられた不正開錠防止機構８７の係合部材８８に形成した作動レバー９２を挿通する長孔３ｄが貫設されている。また、縦枠３ａの下部側には所定の間隔で施錠ユニット１５のスライド保持片１８の外側面の下部側に上下にスライド可能に取付けられた第３可動錠板７５の第３ロック爪７６ａ，７６ｂを挿通する長孔３ｅが貫設されている。また、上下の長孔３ｂ間の所定の位置にはシリンダ錠２２を取付ける錠取付孔が貫設されている。
【０００８】金枠５の回動自由端側の裏面の上下の所定位置には、この第１可動錠板５０の第１ロック爪５６ａ，５６ｂと係合するロック受け金具８が止着されている。また、前枠６の回動自由端側の裏面の上下の所定位置には施錠ユニット１５の第３可動錠板７５の第３ロック爪７６ａ，７６ｂと係合するロック受け金具９が取付けられている。
【０００９】次に、表枠３の縦枠３ａの裏面側に沿って縦設される施錠ユニット１５について説明する。この施錠ユニット１５は図４に示すように、固定基枠１６と、この固定基枠１６の内側にスライド可能にハネ出しプレート４０と第１可動錠板５０と第２可動錠板６５とからなり、このハネ出しプレート４０と第１可動錠板５０、間には不正開錠防止機構８７が介装されている（図５参照）。また、固定基枠１６の外側の上部には金枠５のはね出し部８０が設けられ、下部側には第３可動錠板７５がスライド可能に取付けられている（図３(b) 参照）。なお、図４の分解斜視図はばね部材を省略して示す。
【００１０】この固定基枠１６は取付片１７とスライド保持片１８とにより断面略Ｌ形状に形成され、この取付片１７の上下の所定の位置には断面略Ｌ形状で第２可動錠板６５のガイド金具１９が対応して取付けられ、このガイド金具１９の立上り片１９ａにはそれぞれガイドピン２０が取付けられている。また、取付片１７の上端部寄りの所定位置にはシリンダ錠２２の取付部２１が切欠き形成されてシリンダ錠２２が着脱可能にかつ位置調節可能に取付けられている。・・・
【００１７】また、固定基枠１７のスライド保持片１８の外側面の下部には図３(b) に示すように第３可動錠板７５がスライド保持片１８に取付けられたガイドピン３６ａ，３６ｂを介してスライド可能に取付けられている。・・・
【００１８】このように形成された各部材は、先ず、固定基枠１６に形成した上下の挿通長孔２７ａ，２７ｂに第１可動錠板５０の上下の第１ロック爪５６ａ，５６ｂを挿通して同錠板５０の上下に形成したガイド溝５７ａ，５７ｂをスライド保持片１８に取付けた上下のガイドピン３０に挿通係合するとともに、固定基枠１６側のばね掛け２６ｂと第１可動錠板５０のばね掛け片６１との間にばね部材３８ｂを掛合することで上方へ付勢される。・・・
【００２１】そして、固定基枠１６の取付片１７の上下に取付けられたガイド金具１９間には第２可動錠板６５の上下のガイド溝７１ａ，７１ｂがガイドピン２０に挿通係合されて上下動可能に取付けられるとともに、・・・
【００２４】このように機台枠２の前面を閉止して状態で、表枠３を開く場合は、シリンダ錠２２にキーを挿入して右方向に回動すると、シリンダ錠２２に取付けられた開錠レバー２３の第２開錠片２３ｂが第２可動錠板６５に形成した第２作動孔７３の係合段部７３ａと係合されて、同第２可動錠板６５はばね部材３８ｃに抗し、ガイド溝７１ａ，７１ｂを介してガイドピン２０およびガイド凸部２５ａ，２５ｂにガイドされて上動されることで第２ロック爪７０ａ，７０ｂとロック受け金具８とのロックが解かれ、金枠５と前枠４と一体的に機台枠２の前面側を開放することができる。
　
　また、「パチンコ機の前方から見た斜視図」である図１において、機台枠２が表枠３、金枠５及び前枠６より後方に設けられていることが図示されている。
　
　以上を含む全記載及び図示によれば、引用文献１には次の発明が記載されていると認められる。
「後方側に設けられた機台枠２と、
　前記機台枠２と第２可動錠板６５によって施錠される表枠３と、
　前記表枠３と第１可動錠板５０によって施錠される金枠５と、
　前記表枠３と第３可動錠板７５によって施錠される前枠６と、
　キーを挿入可能なシリンダ錠が取り付けられると共に、固定基枠１６が取付片１７とスライド保持片１８とにより断面略Ｌ形状に形成され、かつ、取付片１７の上下に取付けられたガイド金具１９間には第２可動錠板６５の上下のガイド溝７１ａ，７１ｂがガイドピン２０に挿通係合されて上下動可能に取付けられ、第１可動錠板５０の上下に形成したガイド溝５７ａ，５７ｂをスライド保持片１８に取付けた上下のガイドピン３０に挿通係合し、第３可動錠板７５はスライド保持片１８に取付けられたガイドピン３６ａ，３６ｂを介してスライド可能に取付けられる、パチンコ機。」（以下、「引用発明」という。）
　
２−２．引用文献２
　原査定時に周知技術として引用された、特開２０００−３１７１１５号公報（以下、「引用刊行物２」という。）には、以下の事項が図面とともに記載されている。
【０００１】 
【発明の属する技術分野】本発明は、パチスロ機等のゲーム機に使用される施錠装置の受け金具に関する。
【０００５】本発明は、上記の点に鑑みてなされたもので、前扉の自由端側の隙間の内側に有効な壁を作り不正解錠を防止することができる施錠装置の受け金具を提供することを目的とする。
【０００８】施錠状態では、前扉の自由端側の縁部がキャビネットの縁部に当接して閉鎖状態となるが、何らかの理由により、その突き合わせ面に隙間が生じたとしても、その突き合わせ面の内側奥に、受け金具の帯本体の縁部が、施錠装置に対し壁となって位置する。このため、突き合わせ面の隙間から針金などを差し込んで、施錠装置の連結杆や鉤部材を動かそうとしても、受け金具の縁部の壁により阻まれ、不正解錠を未然に防止することができる。
【００１０】 
【発明の実施の形態】以下、本発明の実施の形態を図面に基づいて説明する。図１は、内部を省略したパチスロのキャビネット１を開いた状態の斜視図を示している。キャビネット１の前面に前扉２が蝶番３を介して開閉自在に取り付けられ、前扉２の自由端側の内側に、縦長の施錠装置４が取り付けられる。
【００１３】一方、キャビネット１の内側前縁部における施錠装置４との対向位置には、受け金具１０が縦に固定される。受け金具１０は、図２に示すように、縦長の帯状金属板からなる帯本体１１の上部と中間部に、係止部１２、１３を断面Ｌ形に曲げて突設し形成される。帯本体１１には複数の取付孔が穿設され、帯本体１１をキャビネット１の内側部に取り付けた際、係止部１２、１３が正面を向くように形成される。
【００１７】そして、上記のように受け金具１０を取り付けたキャビネット１に対し、施錠装置を取り付けた前扉２を閉じると、施錠装置４の上下の鉤部材５、６が、受け金具１０の係止部１２、１３に当接しながら下方に回動し、再び水平位置に戻るように動作して施錠状態となる。・・・ 
【００１８】また、施錠状態では、図４に示すように、前扉２の自由端側の縁部がキャビネット１の前面縁部に当接するが、その突き合わせ面に隙間が生じたとしても、その突き合わせ部の奥に、受け金具１０の帯本体１１の縁部１１ａが、施錠装置４に対し壁となって位置する。このため、突き合わせ部の隙間から針金などを差し込んで、施錠装置４の連結杆や鉤部材５、６を動かそうとしても、縁部１１ａの壁により阻まれ、不正解錠を未然に防止することができる。・・・
【００２２】 
【発明の効果】以上説明したように、本発明によれば、受け金具の装着時、その帯本体の縁部が、施錠装置に対し壁となって位置するから、突き合わせ面の隙間から針金などを差し込んで、施錠装置の連結杆や鉤部材を動かそうとしても、受け金具の縁部の壁により阻まれ、不正解錠を未然に防止することができる。・・・
　
　したがって、これらの記載をまとめると、引用文献２には、 
 「キャビネット１の前面に前扉２が蝶番３を介して開閉自在に取り付けられ、 
　前扉２の自由端側の内側に縦長の施錠装置４が取り付けられる一方、キャビネット１の内側前縁部における施錠装置４との対向位置には、受け金具１０が縦に固定される、パチスロ機等のゲーム機において、 
　前扉２の自由端側の縁部がキャビネット１の前面縁部に当接して閉鎖状態となる施錠状態で、その突き合わせ面に隙間が生じたとしても、受け金具１０の帯本体１１の縁部１１ａが、前扉２の自由端側の隙間の内側に有効な壁となって位置するため、突き合わせ面の隙間から針金などを差し込んで、施錠装置４の連結杆や鉤部材５、６を動かそうとしても、受け金具１０の縁部１１ａの壁により阻まれ、不正解錠を未然に防止することができる、　パチスロ機等のゲーム機に使用される施錠装置の受け金具。」という技術事項が記載されていると認められる。 
　
２−３．引用文献３
　原査定時に周知技術として引用された、特開２０００−１５７６９９号公報（以下、「引用文献３」という。）には、以下の事項が図面とともに記載されている（なお、符号「５１」の用語として「保持枠係合受部材」と「保持枠係合受」とを混用しているが、【符号の説明】の欄の記載に基づき、「保持枠係合受部材」の用語を採用した。）。 
　
【０００１】 
【発明の属する技術分野】本発明は、パチンコ遊技機などの遊技機に関し、特に、透明ガラス等の透明部材を有するカバー枠を前面枠に対して閉状態で施錠する錠部材を備えた遊技機に関するものである。
【００１０】カバー枠３は、図２および図３に示すように、前面枠２の開口部よりも大きな合成樹脂製の装飾カバー部２２が遊技盤１５の周辺部および前面枠２の上部表面（開閉パネル７よりも上部）の殆どを覆い得る枠状体であり、左右の縦部２３ａ，２３ｂの外半部が外周側から中央にかけて前面に膨出するように形成され、この膨出部の裏面に窪部２４が形成され、前面枠２に蝶着される側とは反対側（自由端側）の縦部２３ｂの上下ほぼ中央には、後述する錠部材２５が嵌合する貫通開口部２６が外縁部分から切欠状に形成されている。また、このカバー枠３の左右の縦部２３ａ，２３ｂおよび上下の横部２７ａ，２７ｂの内半部には、開口部２８を囲う環状装飾部材２９の取付部３０が形成され、その裏面にはガラス２１板の保持枠３１の取付座３２が形成されている。・・・ 
【００１１】保持枠３１は、内側に２条の溝が形成された断面略Ｗ字状の金属製の枠体であり、上端の左右をロッド３６で連結し、上記溝内に透明部材として透明ガラス２１を嵌挿して保持する。そして、この保持枠３１は、保持部３９と固定部４０とによりカバー枠３の裏面の所定位置に固定される。・・・　 
【００１３】前面枠２はベニア合板製の枠体であり、図５から図７に示すように、上記カバー枠３によって被覆される前面部分には、左右の縦部２３ａ，２３ｂに断面略Ｚ字状の金属製の長尺な突出部材４５，４６が縦方向に取り付けられ、上横材の前面部分には前記した凹部３３に嵌合する合成樹脂製の長尺な凸条３５が設けられている。　 
【００１５】一方、前面枠２の自由端側である右縦部２３ｂに取り付ける突出部材４６は、図７に示すように、左側の突出部材４５と同様に、前面枠２の表面に固定されるベース面４６ａの一側から防犯壁４６ｂが立設されており、この防犯壁４６ｂの高さ（突出長さ）はカバー枠３の窪部２４の深さよりも少し小さく設定する。したがって、カバー枠３を閉じると、防犯壁４６ｂが窪部２４内に嵌合し、これにより前面枠２とカバー枠３との隙間から挿入されるピアノ線等の侵入を防止することができる。なお、突出部材４６は、突出部材４５と同様に、ベース面４６ａに開設したネジ孔内に挿入したネジ５０を前面枠２にねじ込むことにより固定される。 
【００１６】この突出部材４６のベース面４６ａの他側には、断面略コ字状のスライドベース部４６ｃを形成し、このスライドベース部４６ｃに保持枠係合受部材５１を上下方向にスライド可能な状態で添設し、保持枠係合受部材５１には施錠方向に付勢するスプリング（図示せず）を接続するとともに、後述する錠部材２５の後端から突出した回動ピン（図示せず）に接続し、保持枠係合受部材５１に切欠溝状に形成した係合受部（図示せず）に保持枠３１の自由端側に突設したフック状の係合部５２が係合することによりカバー枠３を閉状態で施錠でき、錠部材の鍵穴に差し込んだ鍵を一方に回動操作して保持枠係合受５１をスライドさせると係合部５２が係合受部から外れて解錠するように構成してある。・・・ 
【００１７】ところで、前面枠２の右縦部２３ｂの上下方向のほぼ中央には、図８に示すように、貫通孔５３を開設し、この貫通孔内に、前面枠２やカバー枠３を閉状態で施錠する錠部材としてシリンダ錠２５を前面枠２の板厚方向に取り付け、図９に示すように、前面枠２の表面から突出したシリンダ錠２５の前端部分を囲繞する状態で錠飾り部材５４を取り付け、この錠飾り部材５４によりシリンダ錠２５の無機質感を払拭するとともにこの周りをパチンコ遊技機１のデザイン上でのアクセントとして装飾する。 
【００１８】この錠飾り部材５４を取り付けるには、前面枠２の右縦部２３ｂの幅がそれ程広くないので、図５に示すように、前記突出部材４６の防犯壁４６ｂおよびベース面４６ａの一部を切り欠いて錠飾り取付領域４９を形成し、この錠飾り取付領域４９に錠飾り部材５４を取り付ける。 
【００１９】錠飾り部材５４は、図９に示すように、シリンダ錠２５の前端面が丁度嵌合する錠嵌合窓５５を開設した合成樹脂製の色鮮やかな箱状ケースであり、本実施形態では前面枠２の表面に当接するベース部５４ａと錠嵌合窓５５を開設した錠飾り部分５４ｂとを異なる色彩で構成した二色成型で成形し、ベース部５４ａの上部と下部には肉厚な耳片状の取付部５６を縁部分から上下方向に突設し、各取付部５６にはネジ孔を開設し、また、両取付部５６の側面からベース部５４ａの下端縁（前面枠２の表面に当接する開口部側の縁部）に沿って溝５７を形成してある。そして、上方の取付部５６の上端から下方の取付部５６の下端までの長さを、錠飾り取付領域４９に臨んでいる防犯壁４６ｂの端部同士の間隔、すなわち切り欠いた防犯壁４６ｂの長さに合わせて設定する。なお、錠飾り部材５４は、二色成型に限らず別個に成型した部材を組み付けて構成してもよい。
【００２０】上記した構成から成る錠飾り部材５４を錠飾り取付領域４９に取り付けるには、図９に示すように、シリンダ錠２５の先端面を錠嵌合窓５５内に嵌合するとともに、上方の取付部５６を上方の防犯壁４６ｂの下端に、下方の取付部５６を下方の防犯壁４６ｂの上端にそれぞれ合わせた状態で各取付部５６のネジ孔内にネジを挿入し、このネジの先端雄ネジ部分を前面枠２の表面に締め込んで固定する。この様にして錠飾り部材５４を前面枠２の表面に固定すると、各取付部５６の端部が錠飾り取付領域４９に臨んだ防犯壁４６ｂの端部にそれぞれ接続する。・・・
 　 
　したがって、これらの記載をまとめると、引用文献３には、 
　「保持枠係合受部材５１に形成した係合受部に保持枠３１の自由端側に突設したフック状の係合部５２が係合することにより、透明ガラス２１等の透明部材を有するカバー枠３を前面枠２に対して閉状態で施錠し、錠部材の鍵穴に差し込んだ鍵を一方に回動操作して保持枠係合受部材５１をスライドさせると係合部５２が係合受部から外れて解錠する、遊技機において、 
　枠状体であるカバー枠３の裏面の所定位置には、透明ガラス２１を嵌挿して保持する保持枠３１が固定され、 
　枠状体である前面枠２の、上記カバー枠３によって被覆される前面部分には、左右の縦部２３ａ，２３ｂに断面略Ｚ字状の金属製の長尺な突出部材４５，４６が縦方向に取り付けられ、 
　前面枠２の自由端側である右縦部２３ｂに取り付けられる突出部材４６は、前面枠２の表面にネジ５０により固定されるベース面４６ａの一側から防犯壁４６ｂが立設されており、カバー枠３を閉じると、防犯壁４６ｂがカバー枠３の窪部２４内に嵌合し、これにより前面枠２とカバー枠３との隙間から挿入されるピアノ線等の侵入を防止することができ、
　突出部材４６のベース面４６ａの他側には、断面略コ字状のスライドベース部４６ｃを形成し、このスライドベース部４６ｃに保持枠係合受部材５１を上下方向にスライド可能な状態で添設し、 
　突出部材４６の防犯壁４６ｂおよびベース面４６ａの一部を切り欠いて錠飾り取付領域４９を形成し、 
　前面枠２の右縦部２３ｂの上下方向のほぼ中央には、錠部材としてシリンダ錠２５を前面枠２の板厚方向に取り付け、前面枠２の表面から突出したシリンダ錠２５の前端部分を囲繞する状態で錠飾り部材５４を取り付け、 
　錠飾り部材５４は、前面枠２の表面に当接するベース部５４ａとシリンダ錠２５の前端面が丁度嵌合する錠嵌合窓５５を開設した錠飾り部分５４ｂとを成形し、ベース部５４ａの上部と下部には耳片状の取付部５６を縁部分から上下方向に突設し、 
　錠飾り部材５４を錠飾り取付領域４９に取り付けるには、シリンダ錠２５の先端面を錠嵌合窓５５内に嵌合するとともに、上方の取付部５６を上方の防犯壁４６ｂの下端に、下方の取付部５６を下方の防犯壁４６ｂの上端にそれぞれ合わせた状態で各取付部５６のネジ孔内にネジを挿入し、このネジを前面枠２の表面に締め込んで固定する、遊技機。」という技術事項が記載されていると認められる。
　
２−４．引用文献４
　実願昭６３−８１０７７号（実開平２−３７８４号）の願書に添付した明細書及び図面の内容を撮影したマイクロフィルム（以下、「引用文献４」という。）には、以下の事項が図面とともに記載されている。
　
「＜産業上の利用分野＞
　この考案はパチンコ機の施錠装置の取付構造に関し、特に標準寸法より幅の狭い外枠においても共通の部材を適用することのできるパチンコ機の施錠装置の取付構造に関する。」（２頁６〜１０行）
「前記のような前枠３を外枠４に施錠する施錠装置16は、第３図に示すように、前枠３の自由端の裏面に止着する縦長な基板37を有し、該基板37には鍵穴が前枠３の前面に臨むシリンダ錠38を設け、該シリンダ錠38の一方向への回動により作動する鍵片39を基板37の上下部分に摺動可能に装着すると共に、上記シリンダ錠38の反対方向への回動により作動するガラス枠開放片40を摺動可能に装着する。
　上記基板37は適宜肉厚の金属板を打抜き屈曲成形して、所要の位置に前面部41、側板部42、案内リブ43、案内ボス44、スプリング掛け45等を設けた縦長な断面ほぼＬ字形の部材である。この基板37の前面部41には円形の通孔（図示せず）を開設し、この通孔にシリンダ錠38を後面から通し、鍵穴を前枠３の前面に臨ませる。シリンダ錠38の後端には、鍵穴に挿入したキーの回動により回転する回転部材46を設ける。この回転部材46には前後方向に突出する２本の第１係合ピン47ａと第２係合ピン47ｂを設ける。
　また、基板37の側板部42には案内リブ43に案内されて、側板部42に沿って摺動可能な連動杆48を設ける。」（７頁１１行〜８頁１３行）
　
２−５．引用文献５
　実願昭６３−１１３５２０号（実開平２−３５７７５号）の願書に添付した明細書及び図面の内容を撮影したマイクロフィルム（以下、「引用文献５」という。）には、以下の事項が図面とともに記載されている。
　
「［従来の技術］
パチンコ機の前面に設けた錠装置の一例を第２図の横断面図に示す。・・・錠装置は、第３図の正面図及び第４図の平面図に示すように、ほぼＬ字状に形成された基枠３は、固定壁３ａと、固定壁３ａに対して略直角を成す垂直壁３ｂと、垂直壁３ｂより略直角に折曲された案内壁３ｃとより構成され、固定壁３ａが前面枠Ｂの裏面に固着される。」（２頁６行〜３頁４行）
「［実施例］
本考案の実施例について図面を参照しながら説明する。
なお、従来例と同一部品には同一符号を付す。
第１図は、手動、電動兼用型の錠装置の要部斜視図を示す。
同図において、基枠３は、前面枠Ｂ（第２図参照）の裏面に固着される固定壁３ｃと、固定壁３ｃに略直角な垂直壁３ｂと、垂直壁３ｂの上端より略直角に折曲して設けられた３ｃとより成り、固定壁３ａに設けられた案内突起３ｄと垂直壁３ｂとの間に第１移動片４及び第２移動片５が移動可能に設けられ、シリンダ錠６のロータ８の端部に固着された回転板９に第１係合部１０、第２係合部１１が設けられ、第１移動片４がばね１５により第１係合部１０に圧接すると共に、第１移動片４に設けられた突起１６が係止部材２に係合してガラス枠Ｄが施錠され、第２移動片５がばね１９（第３図及び第４図参照）により第２係合部１１に圧接すると共に、第２移動片５に設けられた爪２０が係止部材１に係合して前面枠Ｂが側壁Ａに施錠されることは従来例と同様である。」（８頁１９行〜９頁２０行）
　
３．対比
　本願補正発明と引用発明（「２−１．引用文献１」参照）を対比する。
　引用発明の「後方側に設けられた機台枠２」は本願補正発明の「後面側に設けられた基枠」に相当し、以下同様に、
「第２可動錠板６５」は「第１施錠機構」に、
「表枠３」は「第１施錠枠」に、
「第１可動錠板５０」は「第２施錠機構」に、
「金枠５」は「第２施錠枠」に、
「第３可動錠板７５」は「第３施錠機構」に、
「前枠６」は「第３施錠枠」に、
「キーを挿入可能なシリンダ錠」は「鍵部材を挿入可能にされた鍵挿入部材」に、
「取付片１７とスライド保持片１８」は「一対の板部」に、
「断面略Ｌ形状に形成され」は「それぞれの一端において屈曲された状態で接続され」に、相当する。
　そして、引用発明の「固定基枠１６の取付片１７の上下に取付けられたガイド金具１９間には第２可動錠板６５の上下のガイド溝７１ａ，７１ｂがガイドピン２０に挿通係合されて上下動可能に取付けられ、第１可動錠板５０の上下に形成したガイド溝５７ａ，５７ｂをスライド保持片１８に取付けた上下のガイドピン３０に挿通係合し、第３可動錠板７５はスライド保持片１８に取付けられたガイドピン３６ａ，３６ｂを介してスライド可能に取付けられる 」との構成によって、「第２可動錠板６５」、「第１可動錠板５０」及び「第３可動錠板７５」が「取付片１７」又は「スライド保持片１８」に取り付けられることは明らかであるから、当該構成は本願補正発明の「前記一対の板部によって前記第１施錠機構、第２施錠機構及び第３施錠機構を一体化するユニット基板」に相当する。
　
　そうすると、両者は、
「後面側に設けられた基枠と、
　前記基枠と第１施錠機構によって施錠される第１施錠枠と、
　前記基枠及び第１施錠枠の少なくとも１つと第２施錠機構によって施錠される第２施錠枠と、
　前記基枠、第１施錠枠及び第２施錠枠の少なくとも１つと第３施錠機構によって施錠される第３施錠枠と、
　鍵部材を挿入可能にされた鍵挿入部材が固定されると共に、一対の板部がそれぞれの一端において屈曲された状態で接続され、かつ、前記一対の板部によって前記第１施錠機構、第２施錠機構及び第３施錠機構を一体化するユニット基板と、
　を備えた遊技機。」である点で一致し、以下の点で相違する。
　
＜相違点１＞
　本願補正発明は、「一方の前記板部の他端に屈曲形成されて前記基枠と前記第１施錠枠の回動外端との隙間を塞ぐ阻止板が一方の前記板部に沿って延伸される」ものであるのに対し、引用発明ではそのような構成を有していない点。
＜相違点２＞
　本願補正発明は、「前記鍵挿入部材固定位置において他方の前記板部の他端に屈曲形成された係止突起が他方の前記板部に沿って延伸される」ものであるのに対し、引用発明ではそのような構成を有していない点。
　
４．判断
　そこで、上記各相違点について検討する。
　
４−１．相違点１について
　遊技機において、後面側に設けられた基枠と当該機枠に施錠される施錠枠の回動外端との隙間を塞ぐ阻止板を備えたものは、例えば、引用文献２に記載された技術事項の「キャビネット１の前面に前扉２が取り付けられるゲーム機において、施錠状態で、前扉２の自由端側の隙間の内側に有効な壁となって位置する、受け金具１０の帯本体１１の縁部１１ａ」及び引用文献３に記載された技術事項の「前面枠２の自由端側である右縦部２３ｂであって、カバー枠３によって被覆される前面部分には、防犯壁４６ｂを立設する突出部材４６が縦方向に取り付けられる遊技機において、カバー枠３を閉じると、カバー枠３の窪部２４内に嵌合し、これにより前面枠２とカバー枠３との隙間から挿入されるピアノ線等の侵入を防止することができる、防犯壁４６ｂ」に示されるように周知技術であるから、当該周知技術を引用発明において採用し、ピアノ線等の挿入される場所である基枠と第１施錠枠の回動外端との隙間を塞ぐように、そこに位置する板部に沿って阻止板を設けることにより、相違点１にかかる本願補正発明の構成とすることは、当業者が容易になし得ることである。
　
４−２．相違点２について
　遊技機において、鍵挿入部材固定位置において他方の板部の他端に屈曲形成された係止突起を他方の板部に沿って設けたものは、引用文献４の「案内リブ４３」及び引用文献５の「案内壁３ｃ」に示されるように周知技術であるから、当該周知技術を引用発明において採用し、鍵挿入部材固定位置において他方の板部の他端に屈曲形成された係止突起を他方の板部に沿って設けることにより、相違点２にかかる本願補正発明の構成とすることは、当業者が容易になし得ることである。
　
　そして、本願補正発明の効果は、引用発明、上記各周知技術から当業者が予測できる範囲のものである。
　
　したがって、本願補正発明は、引用発明、上記各周知技術に基づいて、当業者が容易に発明をすることができたものであるから、特許法２９条２項の規定により特許出願の際独立して特許を受けることができないものである。
　
５．むすび
　以上のとおり、本件補正は、上記改正前の特許法１７条の２第５項で準用する同法１２６条第５項の規定に違反するものであり、同法１５９条第１項で準用する同法５３条第１項の規定により却下されるべきものである。
　
第３．本願発明
１．本願発明の認定
　平成２３年８月１２日付けの手続補正は上記のとおり却下されたので、本願の請求項１に係る発明（以下、「本願発明」という。）は、平成２３年６月８日付けの手続補正書の特許請求の範囲の請求項１（第２の１．の（補正前）を参照）に記載された事項により特定されるものである。
　
２．進歩性の判断
（１）引用文献
　拒絶の理由に引用された引用文献及びその記載事項は、前記第２の２．に記載したとおりである。　
　
（２）対比・判断
　本願発明は、前記第２で検討した本願補正発明から、「鍵部材を挿入可能にされた鍵挿入部材が固定される」及び「前記鍵挿入部材固定位置において」との構成を省いたものである。
　そうすると、本願発明の構成をすべて含み、さらに他の構成要件を付加したものに相当する本願補正発明が、前記第２の４．に記載したとおり、引用発明、上記各周知技術に基づいて当業者が容易に発明をすることができたものであるから、本願発明も同様の理由により、引用発明、上記各周知技術に基づいて当業者が容易に発明をすることができたものである。　
　
第４．むすび
　以上のとおり、本願発明は、引用発明及び上記各周知技術に基づいて、当業者が容易に発明をすることができたものであるから、特許法２９条２項の規定により特許を受けることができない。
　したがって、本願は、拒絶すべきものである。
　よって、結論のとおり審決する。